(57)【特許請求の範囲】
【請求項１】
一面が開口したケースと、このケースの開口を覆う背面板とを備えた電子機器において、前記ケースの囲い壁に第１のケーブル挿通口を設け、この第１のケーブル挿通口に対応して前記背面板に開口を設け、この背面板の開口を覆う蓋体と、背面板の開口の周縁に設けられ前記蓋体を取り付ける取付片とを備え、前記蓋体に前記第１のケーブル挿通口を選択的に閉塞する第１の閉塞部と第２のケーブル挿通口とを設けるとともに、前記取付片に取り付けられる複数の被取付部を設け、前記取付片に前記第２のケーブル挿通口を選択的に閉塞する第２の閉塞部を設けたことを特徴とする電子機器。
【請求項２】
前記第１のケーブル挿通口は前記背面板側を開放した溝であることを特徴とする請求項１記載の電子機器。
【発明の詳細な説明】
【技術分野】
【０００１】
本発明は、壁等に取り付けられる電子機器に関するものである。
【背景技術】
【０００２】
一般に、この種の電子機器は、電子機器の筺体を構成する背面板を壁に密着させて取り付けられる。一方、電子機器の筺体内に導入する電源コード等のケーブルについては、壁の中に埋設された構造のものと、壁の表面を沿うように配線されているものとがある。このため、この種の電子機器においては、壁の中に埋設されたケーブルを筺体内に直接導入するためのコード挿通口が背面板に設けられているとともに、壁の表面を沿うように配線されたケーブルを筺体内に導入するためのケーブル挿通口が筺体の側部にも設けられている。
【発明の開示】
【発明が解決しようとする課題】
【０００３】
上述した従来の電子機器においては、いずれか一方のケーブル挿通口はケーブルが挿通されないで開放状態のままになるため、この開放状態のケーブル挿通口から塵埃や虫等が筺体内に侵入するという問題があった。特に、筺体の側部に設けたコード挿通口が開放状態となっている場合は、外観的にも違和感を与えるという問題もあった。この問題を解決しようとして筺体の側部に設けたケーブル挿通口を切り離し可能な目隠し板で覆い、必要なときにこの目隠し板を切り離すようにしたものも提案されている。しかしながら、この構造のものでは、一旦目隠し板を切り離してしまうと、電子機器内に直接ケーブルを挿入できる設置場所に替えたときに側部のケーブル挿入口が開放状態のままになるという不具合が生じる。
【０００４】
本発明は上記した従来の問題に鑑みなされたものであり、その目的とするところは、壁の中に埋設されたケーブルを筺体内に直接導入する場合と、壁の表面を沿うように配線されたケーブルを筺体内に導入する場合の両方に対応可能な電子機器を提供するところにある。
【課題を解決するための手段】
【０００５】
この目的を達成するために、本発明は、一面が開口したケースと、このケースの開口を覆う背面板とを備えた電子機器において、前記ケースの囲い壁に第１のケーブル挿通口を設け、この第１のケーブル挿通口に対応して前記背面板に開口を設け、この背面板の開口を覆う蓋体と、背面板の開口の周縁に設けられ前記蓋体を取り付ける取付片とを備え、前記蓋体に前記第１のケーブル挿通口を選択的に閉塞する第１の閉塞部と第２のケーブル挿通口とを設けるとともに、前記取付片に取り付けられる複数の被取付部を設け、前記取付片に前記第２のケーブル挿通口を選択的に閉塞する第２の閉塞部を設けたものである。
【０００６】
請求項２に係る発明は、請求項１に係る発明において、前記第１のケーブル挿通口は前記背面板側を開放した溝である。
【発明の効果】
【０００８】
本発明によれば、設置位置が直接ケーブルを筺体内に導入できる場合は、ケースに設けた第１のケーブル挿通口が蓋体の第１の閉塞部によって閉塞されるため、第１のケーブル挿通口から塵埃や虫等が侵入するようなことがないだけではなく外観的にも違和感を与えるようなことがない。一方、壁の表面を沿うように配線されるケーブルを筺体内に導入する場合は、ケースに設けた第１のケーブル挿通口が開放されるため、この第１のケーブル挿通口からケーブルを電子機器内に導入することができる。このため、背面板と壁との間に隙間を設ける必要がなく密着した状態で電子機器が壁に取り付けられるから、外観的に違和感を与えるようなことがない。また、１つの筺体で、壁の中に埋設されたケーブルを筺体内に直接導入する場合と、壁の表面を沿うように配線されたケーブルを筺体内に導入する場合との両方に対応できるため使い勝手が向上する。また、第１のケーブル挿通口からケーブルを電子機器内に導入するときは、第２のケーブル挿通口が取付片の第２の閉塞部によって閉塞されるため、この第２のケーブル挿通口から塵埃や虫等の侵入を防止することができる。
【０００９】
請求項２に係る発明によれば、ケーブルが壁内に埋設されていない場合、壁に沿って配線されるケーブルを壁から離間させることなく、壁に沿ったままの状態で第１のケーブル挿通口に挿通させることができるため、外観的に違和感を与えるようなことがない。
【発明を実施するための最良の形態】
【００１１】
以下、本発明の実施の形態を図に基づいて説明する。図１は本発明に係る電子機器の一部を分解して示す斜視図、図２（Ａ）は同じく背面図、同図（Ｂ）は同じく側面図、図３は同じく平面図、図４は同じく壁内に埋設されているケーブルを電子機器内に直接導入する場合を示し、同図（Ａ）は背面図、同図（Ｂ）は側面図、図５は同じく壁の表面を沿うように配線されているケーブルを電子機器内に導入する場合を示し、同図（Ａ）は背面図、同図（Ｂ）は側面図である。
【００１２】
図１に全体を符号１で示す電子機器は、図中上方が開口しプラスチックによって形成されたケース２と、このケース２の開口を覆う金属製の背面板３とからなり、背面板３はねじ４によってケース２に取り付けられている。ケース２は前板５とこの前板５を囲むように前板５の外周部から一体に立設された囲い壁６によって形成されている。
【００１３】
前板５の表面には、図３に示すように表示パネル８がねじ７によって取り付けられており、この表示パネル８の下部側には、非接触型ＩＣカード（図示せず）を対向させることによりカードの情報を読み取る読取部９が設けられており、この読取部９の内側には、図示を省略したアンテナ基板が設けられている。１０ａは読取部９によって読み取られた内容を表示する表示部であり、１０ｂはカードを近接させる態様を図示した絵模様である。
【００１４】
囲い壁６には、背面板３側（図２（Ｂ）中上方）が開口し溝状に形成された第１のケーブル挿通口１１が設けられている。また、囲い壁６の端縁には、この第１のケーブル挿通口１１を挟むように、後述する蓋体２０の一辺を載置する載置部１２が凹設されている。
【００１５】
背面板３には、図１および図２（Ａ）に示すように、第１のケーブル挿通口１１に対応し、この第１のケーブル挿通口１１側が開口した正方形で溝状に形成された開口１３が設けられている。この開口１３の周縁の一方の対角線上には、クランク状に折り曲げ形成された取付片１４，１５が設けられている。これら取付片１４，１５のそれぞれには、ねじ孔１６，１７が螺設されており、一方の取付片１５には蓋体２０の後述する第２のケーブル挿通口２３を閉塞する第２の閉塞部１８が延設されている。
【００１６】
図１において、２０は開口１３よりも外形寸法がわずかに小さく正方形に形成された蓋体であって、４隅に被取付部としての４つのねじ挿通孔２１Ａないし２１Ｄが設けられている。この蓋体２０のねじ挿通孔２１Ｄとねじ挿通孔２１Ａとの間に位置する端縁には、図中下方に突設され第１のケーブル挿通口１１を選択的に閉塞する第１の閉塞部２２が設けられており、ねじ挿通孔２１Ａとねじ挿通孔２１Ｂとの間に位置する端縁には、溝状に形成された第２のケーブル挿通口２３が設けられている。２５，２５は蓋体２０の４つのねじ挿通孔２１Ａないし２１Ｄのうちの２つに選択的に挿通されるねじであって、取付片１４，１５のねじ孔１６，１７に螺合することにより、蓋体２０が囲い壁６の載置部１２に載置され、背面板３の開口１３を覆った状態で取付片１４，１５に取り付けられる。
【００１７】
この場合、２本のねじ２５，２５を選択的に蓋体２０のねじ挿通孔２１Ａ，２１Ｃに挿通させて、取付片１４，１５のねじ孔１６，１７のそれぞれに螺合させることにより、第１の閉塞部２２が第１のケーブル挿通口１１を閉塞する。一方、蓋体２０を図１に示す状態から矢印Ａ方向に９０°だけ回動させ、２本のねじ２５，２５を選択的に蓋体２０のねじ挿通孔２１Ｄ，２１Ｂに挿通させ、挿通させたねじ２５，２５を取付片１４，１５のねじ孔１６，１７のそれぞれに螺合させることにより、第１の閉塞部２２による第１のケーブル挿通口１１の閉塞が解除され第１のケーブル挿通口１１が開放される。このとき、蓋体２０の第２のケーブル挿通口２３が取付片１５の第２の閉塞部１８によって閉塞される。
【００１８】
次に、このように構成された電子機器において、ケーブルを電子機器１内に導入する方法について説明する。先ず、壁内に埋設されたケーブルを電子機器１内に背面側から直接導入する場合について説明する。この場合は、図１に示すように背面板３の開口１３が開放されている状態で、壁内に埋設されたケーブルの一端部を手によって把持し、その手を開口１３内に差し入れる。差し入れられた手によって、ケーブル２６の一端部を開口１３から電子機器１内に導入し、導入したケーブルの一端部を電子機器１内に実装されているプリント基板のコネクタ（いずれも図示せず）に電気的に接続する。
【００１９】
次いで、２本のねじ２５，２５を選択的に蓋体２０のねじ挿通孔２１Ａ，２１Ｃに挿通させて、取付片１４，１５のねじ孔１６，１７にそれぞれ螺合させることにより、蓋体２０を取付片１４，１５に取り付ける。このとき、囲い壁６の第１のケーブル挿通口１１が蓋体２０の第１の閉塞部２２によって閉塞される。電子機器１内に導入したケーブル２６を、図４に示すように蓋体２０の第２のケーブル挿通口２３から導出する。この状態で、背面板３を壁に密着させて電子機器１を壁に取り付ける。
【００２０】
このように、壁内に埋設されているケーブルを第２のケーブル挿通口２３から電子機器１内に直接導入する場合は、ケース２に設けられた第１のケーブル挿通口１１が蓋体２０の第１の閉塞部２２によって閉塞されているため、第１のケーブル挿通口１１から塵埃や虫等が侵入するようなことがないだけではなく、外観的にも違和感を与えるようなことがない。
【００２１】
次に、壁の表面を沿うように配線されているケーブルを電子機器１内に導入する場合について説明する。この場合は、上述した壁内に埋設されているケーブルを電子機器１内に導入する場合と同様に、図１に示すように背面板３の開口１３を開放した状態で、壁内に埋設されていないケーブル２６の一端部を手によって把持し、その手を開口１３内に差し入れる。差し入れられた手によって、ケーブル２６の一端部を開口１３から電子機器１内に導入し、導入したケーブルの一端部を電子機器１内に実装されているプリント基板のコネクタ（いずれも図示せず）に電気的に接続する。
【００２２】
次いで、図１に示す状態から蓋体２０を矢印Ａ方向に９０°だけ回動させ、２本のねじ２５，２５を蓋体２０のねじ挿通孔２１Ｄ，２１Ｂに挿通させて、取付片１４，１５のねじ孔１６，１７にそれぞれ螺合させる。このとき、蓋体２０の第１の閉塞部２２による第１のケーブル挿通口１１の閉塞が解除され開放されるため、電子機器１内に導入されたケーブル２６を、図５に示すように囲い壁６の第１のケーブル挿通口１１から導出する。この状態で、背面板３を壁に密着させて電子機器１を壁に取り付ける。
【００２３】
このように、壁の表面を沿うように配線されているケーブル２６を電子機器１内に導入する場合は、ケース２に設けた第１のケーブル挿通口１１が開放されるため、この第１のケーブル挿通口１１からケーブル２６を電子機器１内に導入することができる。このため、背面板３と壁との間に隙間が形成されるようなことがなく密着した状態で電子機器１が壁に取り付けられるから、外観的に違和感を与えるようなことがない。また、第１のケーブル挿通口１１からケーブル２６を電子機器１内に導入するときは、第２のケーブル挿通口２３が取付片１５の第２の閉塞部１８によって閉塞されるため、この第２のケーブル挿通口２３から塵埃や虫等の侵入を防止することができる。
【００２４】
また、第１のケーブル挿通口１１を壁に密着させる背面板３側に開口を設けた溝状に形成したことにより、壁内に埋設せずに壁の表面を沿うように配線されるケーブル２６を壁の表面から離間させることなく、壁の表面に沿ったままの状態で第１のケーブル挿通口１１に挿通させることができるため、外観的に違和感を与えるようなことがない。
【００２５】
この壁の表面を沿うように配線されているケーブル２６を電子機器１内に導入する場合から、電子機器１の設置位置を変更し、再び壁内に埋設されたケーブルを電子機器１内に背面側から直接導入する場合について説明する。この場合は、蓋体２０のねじ挿通孔２１Ｄ，２１Ｂに挿通させた２本のねじ２５，２５の取付片１４，１５のねじ孔１６，１７との螺合を解除し、蓋体２０を取付片１４，１５から取り外す。取り外した蓋体２０を図１において、矢印Ａ方向と反対方向に９０°だけ回動させ、第１のケーブル挿通口１１から導出していたケーブル２６を第２のケーブル挿通口２３から導出させる。次いで、２本のねじ２５，２５を蓋体２０のねじ挿通孔２１Ａ，２１Ｃに挿通させて、取付片１４，１５のねじ孔１６，１７にそれぞれ螺合させることにより、蓋体２０を取付片１４，１５に取り付ける。この状態で、再び、囲い壁６の第１のケーブル挿通口１１が蓋体２０の第１の閉塞部２２によって閉塞されるため、第１のケーブル挿通口１１から塵埃や虫等の侵入が防止される。このように、１つのケース２で、壁の中に埋設されたケーブル２６をケース２内に直接導入する場合と、壁の表面を沿うように配線されたケーブル２６をケース２内に導入する場合との両方に対応できるため使い勝手が向上する。
【００２６】
なお、本実施の形態においては、第１のケーブル挿通口１１を背面板３側に開口を設けた溝状に形成したが、開口を設けることなく囲い壁６の中央側において穴状に形成し、蓋体２０の第１の閉塞部２２を穴の位置まで延在させ、穴に対応する部位に穴に嵌合する凸部を設け、ケース２の囲い壁６の表面と凸部の表面との面位置を同一にするようにしてもよい。また、蓋体２０を正方形に形成したが、長方形に形成してもよく、その場合は蓋体２０を９０°だけ回動させるのではなく、１８０°回動させて取付片１４，１５に取り付けるようにすればよい。
【図面の簡単な説明】
【００２７】
【図１】本発明に係る電子機器の一部を分解して示す斜視図である。
【図２】同図（Ａ）は本発明に係る電子機器の背面図、同図（Ｂ）は同じく側面図である。
【図３】本発明に係る電子機器の平面図である。
【図４】壁内に埋設されているケーブルを電子機器内に直接導入する場合を示し、同図（Ａ）は背面図、同図（Ｂ）は側面図である。
【図５】壁の表面を沿うように配線されているケーブルを電子機器内に導入する場合を示し、同図（Ａ）は背面図、同図（Ｂ）は側面図である。
【符号の説明】
【００２８】
１…電子機器、２…ケース、３…背面板、５…前板、６…囲い壁、１１…第１のケーブル挿通口、１３…開口、１４，１５…取付片、１８…第２の閉塞部、２０…蓋体、２１Ａないし２１Ｄ…ねじ挿通孔（被取付部）、２２…第１の閉塞部、２３…第２のケーブル挿通口、２６…ケーブル。
【図１】
0004692304.tif 000002
【図２】
0004692304.tif 000003
【図３】
0004692304.tif 000004
【図４】
0004692304.tif 000005
【図５】
0004692304.tif 000006